(57)【要約】【課題】背もたれ部のリクライニニング位置を変更する場合の操作性が良く、さらに、操作者が使用者の状態を視認しながら操作することができるリクライニング機能付き椅子を提供すること。【解決手段】背もたれ部のリクライニング位置の固定状態を手動で解除する手動解除手段を、背もたれ部の背面であって、標準的な使用者が座った場合にその使用者の頸部または頭部に対応する位置に設ける。【選択図】  図３
2005000557.tif 000002
【特許請求の範囲】
【請求項１】
使用者が着座する着座部と、該着座部に対して起立位置と傾斜位置との間でリクライニング回動自在に設けられた背もたれ部と、該背もたれ部のリクライニング位置を固定するリクライニング固定機構と、該リクライニング固定機構による固定状態を操作者が手動で解除する手動解除手段とを備え、
上記手動解除手段は、上記背もたれ部の背面であって、標準的な使用者が座った場合にその使用者の頸部または頭部に対応する位置に設けられていることを特徴とするリクライニング機能付き椅子。
【請求項２】
背もたれ部の背面であって、標準的な使用者が座った場合にその使用者の頸部または頭部に対応する位置に、操作者が握って背もたれ部を回動させるための取手が設けられ、該取手に対して上記手動解除手段が設けられていることを特徴とする請求項１に記載のリクライニング機能付き椅子。
【請求項３】
シャワー入浴装置用車椅子であることを特徴とする請求項１または請求項２に記載のリクライニング機能付き椅子。
【発明の詳細な説明】
【０００１】
【発明の属する技術分野】
本発明は、背もたれの傾斜角度が可変のリクライニング機能付き椅子に関する。
【０００２】
【従来の技術】
従来、背もたれの傾斜角度が可変のリクライニング機能付き椅子として、使用者が着座する着座部と、該着座部に対して起立位置と傾斜位置との間でリクライニング回動自在に設けられた背もたれ部と、該背もたれ部のリクライニング位置を固定するリクライニング固定機構と、該リクライニング固定機構による固定状態を操作者が手動で解除する手動解除手段とを備え、上記手動解除手段が上記背もたれ部の背面であって、上記リクライニング固定機構に付設された位置に設けられた車椅子が知られている（例えば、特許文献１参照。）。
【０００３】
【特許文献１】
特開平８−１１７２８８号公報
【０００４】
【発明が解決しようとする課題】
このような車椅子では、操作者が上記手動解除手段を操作してリクライニング固定機構による背もたれ部の固定状態を解除し、その状態で背もたれ部を所望のリクライニング位置まで回動させ、手動解除手段の操作をやめることにより、背もたれ部のリクライニング位置を変更する。
【０００５】
しかし、上記従来の構造では、手動解除手段がリクライニング固定機構の一部として付設されており、手動解除手段の位置が標準的な使用者が座った場合にその使用者の胸部に対応する位置にあたる低い位置であるため、手動解除手段を操作した状態で背もたれ部を所望のリクライニング位置まで回動させる場合に、操作者に腰を屈める姿勢を強いることになり、操作性が悪いという問題がある。また、手動解除手段の位置が低いため、操作者は車椅子の背面側に回って手動解除手段を操作しなければならず、使用者の状態を視認しながら背もたれ部のリクライニング位置を変更することができないといった問題がある。
【０００６】
そこで本発明は、上記の問題点に鑑み、背もたれ部のリクライニング位置を変更する場合の操作性が良く、さらに、操作者が使用者の状態を視認しながら操作することができるリクライニング機能付き車椅子を提供することを課題とする。
【０００７】
【課題を解決するための手段】
上記課題を解決するために本発明は、使用者が着座する着座部と、該着座部に対して起立位置と傾斜位置との間でリクライニング回動自在に設けられた背もたれ部と、該背もたれ部のリクライニング位置を固定するリクライニング固定機構と、該リクライニング固定機構による固定状態を操作者が手動で解除する手動解除手段とを備え、上記手動解除手段は、上記背もたれ部の背面であって、標準的な使用者が座った場合にその使用者の頸部または頭部に対応する位置に設けられていることを特徴とする。
【０００８】
これによれば、手動解除手段が標準的な使用者が座った場合にその使用者の頸部または頭部に対応する位置に設けられているので、操作者は車椅子の側面側に立って操作することができ、使用者の状態を視認しながら手動解除手段を操作することができる。また、手動解除手段の位置が高い位置にあるため、手動解除手段を操作した状態で背もたれ部を所望のリクライニング位置まで回動させる場合に、腰を過度に屈めることなく操作することができ、操作性が良い。
【０００９】
また、背もたれ部の背面であって、標準的な使用者が座った場合にその使用者の頸部または頭部に対応する位置に、操作者が握って背もたれ部を回動させるための取手が設けられ、該取手に対して上記手動解除手段が設けられれば、手動解除手段を操作した状態で背もたれ部を所望のリクライニング位置まで回動させる場合に、片手で手動解除手段の操作・背もたれ部の回動の両動作を行うことが出来る。
【００１０】
なお、上記リクライニング機能付き椅子がシャワー入浴装置用車椅子の場合には、背もたれ部のリクライニング位置の変更を頻繁に行うことが多く、また、使用者に顔を見せて安心を感じさせつつ、使用者の状態を視認しながらリクライニング位置の変更を行う必要があるので、より効果が高い。
【００１１】
【発明の実施の形態】
図１を参照して、１は、本発明の実施の形態に係るシャワー入浴装置用車椅子である。このシャワー入浴装置用車椅子１は、脚部２、着座部３、足置き部４、背もたれ部５とで構成されている。脚部２の四隅には、それぞれ回転自在な移動用車６が設けられている。シャワー入浴者（使用者）が着座する着座部３の着座面には、クッション性及び排水性のよい厚みのある着座シート７が取付けられている。足置き部４には、シャワー入浴者の足をのせる一対の足のせ板８、９と、足を固定する足固定ベルト１０を有している。
【００１２】
背もたれ部５は、金属製の逆Ｕ字状の背もたれフレーム１１と、その背もたれフレーム１１に取付けられた弾力性のある背もたれシート１２とで構成されている。背もたれシート１２には、シャワー入浴者の胸部を固定する胸部固定ベルト１３と、シャワー入浴者の頭部を保持する弾力性のある頭部保持部材１４が取り付けられており、背もたれフレーム１１の両側面には、回転自在な一対のアームレスト１５、１６が取付けられている。アームレスト１５、１６は、金属製のフレームに筒状の弾性を有するカバーを装着して構成されている。
【００１３】
背もたれ部５は、着座部３の後部に回動自在に取付けられており、脚部２の後部と背もたれフレーム１１の背面フレーム１１ａとの間には、ガスを封入したダンパー部材１７（リクライニング固定機構）がそれぞれヒンジ１８ａ、１８ｂを介して取り付けられている。具体的には、ダンパー部材１７のロッド１７ａ側が脚部２の後部に取り付けられており、ダンパー部材１７のシリンダカバー１７ｂ側が背面フレーム１１ａに取り付けられている。これにより、背もたれ部５は、着座部３に対して起立位置と傾斜位置との間でリクライニング回動自在となっている。
【００１４】
また、背もたれ部５は一対のリンク機構３ａを介して足置き部４に連結されており、背もたれ部５のリクライニング回動に応じて足置き部４が前方に回動移動する。
【００１５】
ダンパー部材１７のシリンダカバー１７ｂ上部には、ロックレバー１７ｃが設けられており、このロックレバー１７ｃは、初期位置であるダンパー部材１７に対し垂直な位置にあるとき、ダンパー部材１７のロッド１７ａをシリンダカバー１７ｂに対して固定し、ダンパー部材１７に対し垂直な位置から上方に変位しているとき、ロッド１７ａのシリンダカバー１７ｂに対する固定状態を解除する。
【００１６】
背もたれ部５の背面であって、標準的な身長のシャワー入浴者が着座部３に座った場合にそのシャワー入浴者の頸部に対応する位置には、操作者が握って背もたれ部５を回動させるための取手１１ｂが設けられている。そして、この取手１１ｂには、ワイヤーケーブル１９を介して上記ロックレバー１７ｃを制御するための手動レバー２０（手動解除手段）が設けられている。ここで、標準的な身長とは、想定されるシャワー入浴装置用車椅子のユーザー、すなわちシャワー入浴者の年齢層及び性別等に基づいて統計的に割り出されるものである。本実施形態では、背もたれ部５が起立位置にある状態で、床面から６７０ｍｍの位置に取手１１ｂ及び手動レバー２０が設けられている。
【００１７】
具体的には、ワイヤーケーブル１９は、インナーワイヤ１９ａとアウターチューブ１９ｂの２重構造となっており、上記ロックレバー１７ｃと手動レバー２０とがインナーワイヤ１９ａで接続されていると共に、手動レバー２０と上記背面フレーム１１ａとがアウターチューブ１９ｂで接続されている。これにより、手動レバー２０を取手１１ｂに対して握り込むと、アウターチューブ１９ｂの中のインナーワイヤ１９ａがてこの原理で引き込まれ、インナーワイヤ１９ａに接続されたロックレバー１７ｃがダンパー部材１７に対し垂直な位置から上方に変位する。そのため、ロッド１７ａのシリンダカバー１７ｂに対する固定状態が解除される。なお、手動レバー２０は取手１１ｂに対して開く方向に付勢されており、これにより、手動レバー２０が操作されていない状態においては、アウターチューブ１９ｂから突出するインナーワイヤ１９ａの長さが最大となってそのインナーワイヤ１９ａに接続されたロックレバー１７ｃがダンパー部材１７に対し垂直な位置となり、ロッド１７ａがシリンダカバー１７ｂに対して固定される。
【００１８】
図２及び図３を参照して、本実施形態の作用について説明する。
【００１９】
背もたれ部５を起立位置から傾斜位置へリクライニングさせる場合、操作者Ａはシャワー入浴装置用車椅子１の側面側に立ち、背もたれ部５の背面に近い方の手で上記手動レバー２０を取手１１ｂに対して握り込む（図２）。
【００２０】
これにより、ダンパー部材１７のロッド１７ａのシリンダカバー１７ｂに対する固定状態が解除されるので、手動レバー２０を握り込んだまま、取手１１ｂをシャワー入浴装置用車椅子１の後方向に引いて、背もたれ部５を所望のリクライニング位置まで回動させる（図３）。そして、その位置で手動レバー２０を離すことによりロックレバー１７ｃがダンパー部材１７に対し垂直な位置に戻り、ロッド１７ａがシリンダカバー１７ｂに対して固定されて背もたれ部５の位置が固定される。
【００２１】
背もたれ部５を傾斜位置から起立位置へリクライニングさせる場合、操作者Ａはシャワー入浴装置用車椅子１の側面側に立ち、背もたれ部５の背面に近い方の手で上記手動レバー２０を取手１１ｂに対して握り込む（図３）。
【００２２】
これにより、ダンパー部材１７のロッド１７ａのシリンダカバー１７ｂに対する固定状態が解除されるので、手動レバー２０を握り込んだまま、取手１１ｂをシャワー入浴装置用車椅子１の前方向に押して、背もたれ部５を所望のリクライニング位置まで回動させる（図２）。そして、その位置で手動レバー２０を離すことによりロックレバー１７ｃがダンパー部材１７に対し垂直な位置に戻り、ロッド１７ａがシリンダカバー１７ｂに対して固定されて背もたれ部５の位置が固定される。
【００２３】
操作者Ａがシャワー入浴装置用車椅子１の側面側に立っているので、操作者Ａはこれらの操作をシャワー入浴者Ｂの状態を視認しながら行うことが出来る。
【００２４】
なお、本実施形態では、取手１１ｂを、標準的な身長のシャワー入浴者が着座部３に座った場合にそのシャワー入浴者の頸部に対応する位置に設けたが、本発明はこれに限定されるものではなく、シャワー入浴者の頭部に対応する位置に設けても良い。
【００２５】
また、本実施形態では、取手１１ｂに対して手動レバー２０を設けたが、本発明はこれに限定されるものではなく、手動レバー２０のみが、背もたれ部５の背面であって、標準的なシャワー入浴者が座った場合にその使用者の頸部または頭部に対応する位置に設けられるようにしても良い。
【００２６】
また、本実施形態では、手動解除手段はレバー形状であるが、本発明はこれに限定されるものではなく、例えばボタン状等、様々な形態をとりうる。
【００２７】
また、本実施形態ではシャワー入浴装置用の車椅子１について説明したが、本発明は様々な用途の車椅子に適用することができる。
【００２８】
また、本実施形態では、背もたれ部５が起立位置にある状態で床面から６７０ｍｍの位置に取手１１ｂ及び手動レバー２０を設けたが、本発明はこれに限定されるものではなく、想定されるユーザーに応じ、床面から６００ｍｍ〜７００ｍｍの範囲で取手１１ｂ及び手動レバー２０の位置を適宜変更することが望ましい。
【００２９】
なお、本発明は上記実施形態のものに限定されるものではなく、発明の骨子を逸脱しない限り必要に応じて種々変更することが可能である。
【００３０】
【発明の効果】
以上の説明から明らかなように、本発明は、手動解除手段が標準的な使用者が座った場合にその使用者の頸部または頭部に対応する位置に設けられているので、操作者は車椅子の側面側に立って操作することができ、使用者の状態を視認しながら手動解除手段を操作することができ、かつ使用者はリクライニング動作時に操作者の顔が見えることにより安心を感じることができる。また、手動解除手段の位置が高い位置にあるため、手動解除手段を操作した状態で背もたれ部を所望のリクライニング位置まで回動させる場合に、腰を過度に屈めることなく操作することができ、操作性が良い。
【図面の簡単な説明】
【図１】本発明の一実施の形態のシャワー入浴装置用車椅子を示す斜視図
【図２】背もたれ部が起立位置にあるときの操作者の姿勢を示す図
【図３】背もたれ部が傾斜位置にあるときの操作者の姿勢を示す図
【符号の説明】
３  着座部
５  背もたれ部
１７  ダンパー部材（リクライニング固定機構）
２０  手動レバー（手動解除手段）
【図１】
2005000557.tif 000003
【図２】
2005000557.tif 000004
【図３】
2005000557.tif 000005